(57)【要約】【課題】名刺を変形させることなく、簡単に名刺を立てることが可能な名刺立てを提供する。【解決手段】名刺立ては１枚の矩形状の紙（１１）を含む。矩形状の紙はその長手方向中央部に設けられた山折り線（１３）によって一方側部分（１１ａ）と他方側部分（１１ｂ）とに分離され、一方側部分（１１ａ）は名刺を保持するための弧状の溝（１２）を有する。【選択図】図１
2014113817.tif 000002
【特許請求の範囲】
【請求項１】
１枚の矩形状の紙を含み、
前記紙は、その長手方向中央部に設けられた山折り線によって一方側部分と他方側部分に分離され、
前記一方側部分は名刺を保持するための弧状の溝を有する、名刺立て。
【請求項２】
前記一方側部分は舌片部を有し、前記他方側部分は前記舌片部に係合する
係合部を含む、請求項１に記載の名刺立て。
【請求項３】
前記係合部は溝である、請求項２に記載の名刺立て。
【請求項４】
前記舌片部は矢印状である、請求項３に記載の名刺立て。
【請求項５】
前記舌片部は矩形状である、請求項３に記載の名刺立て。
【請求項６】
前記矩形状の紙は前記山折り線に交わる方向に設けられた一対の切れ目を有し、
前記一対の切れ目に挟まれた部分は谷折り側に曲げられ、
前記谷折り側に曲げられた部分の前記山折り線に対応する箇所は、谷折り線を形成し、
前記谷折り線を挟む対の部分は接続されている、請求項１に記載の名刺立て。
【請求項７】
前記他方側部分は前記一対の切れ目を挟んで設けられた、名刺を保持するための溝を有する、請求項６に記載の名刺立て。
【発明の詳細な説明】
【技術分野】
【０００１】
この発明は名刺立てに関し、特に、組立の簡単な名刺立てに関する。
【背景技術】
【０００２】
従来の組立が簡単な名刺立てが、特開２０１１−１２６２６１号公報（特許文献１）や登録実用新案第３００６０６２号公報（特許文献２）に開示されている。特許文献１によれば、１枚の折畳み可能なシートを折ることで名刺を保持可能な名刺立てを形成できる構成を開示している。特許文献２によれば、１枚の用紙で、４通りの楽しみ方を提供できる板形名刺立てを開示している。
【先行技術文献】
【特許文献】
【０００３】
【特許文献１】特開２０１１−１２６２６１号公報
【特許文献２】登録実用新案第３００６０６２号公報
【発明の概要】
【発明が解決しようとする課題】
【０００４】
従来の名刺立ては上記のように構成されていた。特許文献１によれば、使用する紙は１枚であるが、複雑な折り方をする必要があり、手間がかかるという問題があった。
【０００５】
特許文献２によれば、４通りの名刺の立て方を楽しめるが、名刺を立てたとき、名刺が変形するという問題があった。
【０００６】
この発明は上記のような問題点を解消するためになされたもので、名刺を変形させることなく、簡単に名刺を立てることが可能な名刺立てを提供することを目的とする。
【課題を解決するための手段】
【０００７】
この発明に係る名刺立ては、１枚の矩形状の紙を含み、紙は、その長手方向中央部に設けられた山折り線によって一方側部分と他方側部分に分離され、一方側部分は名刺を保持するための弧状の溝を有する。
【０００８】
好ましくは、一方側部分は舌片部を有し、他方側部分は舌片部に係合する係合部を含む。
【０００９】
さらに好ましくは、係合部は溝である。
【００１０】
なお、舌片部は矢印状であってもよいし、矩形状であってもよい。
【００１１】
この発明の一つの実施の形態によれば、矩形状の紙は山折り線に交わる方向に設けられた一対の切れ目を有し、一対の切れ目に挟まれた部分は谷折り側に曲げられ、谷折り側に曲げられた部分の前記山折り線に対応する箇所は、谷折り線を形成し、谷折り線を挟む対の部分は接続されている。
【００１２】
他方側部分は一対の切れ目を挟んで設けられた、名刺を保持するための溝を有してもよい。
【発明の効果】
【００１３】
１枚の矩形状の紙に名刺をそのまま保持するための簡単な弧状の溝を入れるだけで名刺立てを形成できる。
【００１４】
その結果、名刺を変形させることなく、簡単に名刺を立てることが可能な名刺立てを提供できる。
【図面の簡単な説明】
【００１５】
【図１】この発明の一実施の形態に係る名刺立てを示す図である。
【図２】この発明の他の実施の形態に係る名刺立てを示す図である。
【図３】この発明のさらに他の実施の形態に係る名刺立てを示す図である。
【図４】この発明のさらに他の実施の形態に係る名刺立てを示す図である。
【図５】図４で示した名刺立ての使用方法を示す図である。
【図６】図４で示した名刺立ての使用方法を示す図である。
【発明を実施するための形態】
【００１６】
（１）第１実施の形態
以下、この発明の実施の形態について図面を参照して説明する。図１は、この発明の第１実施の形態に係る名刺立てを示す図である。図１（Ａ）は展開図であり、図１（Ｂ）は図１（Ａ）に示した名刺立ての使用状態を示す斜視図である。
【００１７】
図１（Ａ）を参照して、この実施の形態に係る名刺立て１０は、展開状態では１枚の矩形状の紙１１から構成される。紙１１のサイズは通常の名刺と同様の寸法が好ましい。紙１１はその長手方向の中央部に山折り用の折れ線１３を有し、ここを中心として、２つの矩形の領域１１ａと１１ｂとに分離できる。領域１１ａは折れ線１３と、折れ線１３の対向辺である辺１４ａと、折れ線１３と辺１４ａとの両端部を接続する辺１３ａ，１３ｃとを含む。同様に、領域１１ｂは折れ線１３と、折れ線１３の対向辺である辺１４ｂと、折れ線１３と辺１４ｂとの両端部を接続する辺１３ｂ，１３ｄとを含む。
【００１８】
なお、ここで、山折り用の折れ線とは折れ線が頂部になるように折る線のことで、逆は谷折り用の折れ線という。
【００１９】
領域１１ａにはその辺１４ａの近傍に設けられた半円弧状の溝１２が設けられ、それによって、溝１２の下部に半円形の舌片１１ｃが形成される。溝１２は所定の幅を有し、その幅は２〜３ｍｍ程度が好ましい。
【００２０】
紙１１を折れ線１３で折って、２つの領域１１ａ，１１ｂの端部１４ａ，１４ｂを所定の距離離して安定して自立するように載置した状態が図１（Ｂ）である。
【００２１】
図１（Ｂ）を参照して、上記のようにしてテーブル等の上に載置可能な名刺立て１０が完成する。名刺１８は名刺立て１０の領域１１ａと舌片１１ｃによって保持される。
【００２２】
なお、図１（Ａ）に示すように、領域１１ａの折れ線１３の両端部に隣接する箇所に、折れ線１３に直交する方向に延在する長手の切片１５ａ，１５ｂを、図１（Ａ）中において、点線で示す箇所１６ａ，１６ｂ、１７ａ，１７ｂを切断することによって設け、図１（Ｂ）に示すように組み立てられたとき、この切片１５ａ，１５ｂが、切断部１７ａ，１７ｂに係合するようにしてもよい。
【００２３】
このようにすることにより、図１（Ｂ）で示したように、２つの領域１１ａ，１１ｂの端部１４ａ，１４ｂ間の距離を維持できる。
【００２４】
以上のように、この実施の形態によれば、１枚の矩形の紙で簡単に名刺立てを構成できる。
【００２５】
（２）第２実施の形態
次に、この発明の第２実施の形態について説明する。図２は、この発明の第２実施の形態に係る名刺立てを示す図である。図２（Ａ）は展開図であり、図２（Ｂ）は図２（Ａ）に示した展開図を組立てて名刺立てを形成したときに、名刺立ての使用状態を示す斜視図であり、図２（Ｃ）は図２（Ｂ）において、矢印ＩＩＣ-ＩＩＣで示す部分の矢視図である。
【００２６】
図２（Ａ）を参照して、この実施の形態に係る名刺立て２０は、展開状態では１枚の矩形状の紙２１から構成される。紙２１はその長手方向の中央部に山折り用の折れ線２３を有し、ここを中心として、２つの矩形の領域２１ａと２１ｂとに分離できる。領域２１ａは折れ線２３と、折れ線２３の対向辺である辺２４ａと、折れ線２３と辺２４ａとの両端部を接続する辺２３ａ，２３ｃとを含む。同様に、領域２１ｂは折れ線２３と、折れ線２３の対向辺である辺２４ｂと、折れ線２３と辺２４ｂとの両端部を接続する辺２３ｂ，２３ｄとを含む。折れ線２３は中央部を除く両側端部に設けられている。
【００２７】
この実施の形態においては、領域２１ａの幅方向のほぼ中央部であって、折れ線２３から約１ｃｍ程度下の位置から領域２１ｂに向かって形成された矢印状の切れ目２６が形成されている。
【００２８】
この矢印状の切れ目２６は、折れ線２３から約１ｃｍ程度下の領域２１ａの全幅の約半分の寸法の位置２６ａから領域２１ｂに向かって少しづつ幅を狭くし、折れ線２３の直前で折れ線に沿って広がり、その後、それに直交して折れ線２３に至り、その後、２１ｂ内で三角形状になるように切断する。それによって、切れ目２６は矢印状の舌片となる。
【００２９】
一方、領域２１ｂのほぼ中央部には、後に説明するように、切れ目２６の先端部の三角形状の部分２６ｅを受入れるための辺２４ｂに向かって頂部を有する三角形状の溝２５が設けられている。その幅は１〜２ｍｍ程度が好ましい。
【００３０】
領域２１ａにはその辺２４ａの近傍に設けられた半円弧状の溝２２が設けられ、それによって、溝２２の下部に半円形の舌片２１ｃが形成される。溝２２は所定の幅を有し、その幅は２〜３ｍｍ程度が好ましい。
【００３１】
名刺立て２０を折れ線２３で折って、２つの領域２１ａ，２１ｂの端部２４ａ，２４ｂを所定の距離離して載置し、その上に名刺をおいた状態が図２（Ｂ）である。
【００３２】
図２（Ｂ）を参照して、上記のようにしてテーブル等の上に載置可能な名刺立て２０が完成する。名刺２８は名刺立て２０の領域２１ａと舌片２１ｃによって保持される。
【００３３】
以上のように、この実施の形態によれば、１枚の矩形の紙で簡単に名刺立てを構成できる。また、広がった部分２６ｃ，２６ｄが溝２５に係合するため、名刺立てを立てたとき安定する。
【００３４】
（３）第３実施の形態
次に、この発明の第３実施の形態について説明する。図３は、この発明の第３実施の形態に係る名刺立てを示す図である。図３（Ａ）は展開図であり、図３（Ｂ）は図３（Ａ）に示した展開図を組立てて名刺立てを形成したときに、名刺立ての使用状態を示す斜視図であり、図３（Ｃ）は図３（Ｂ）において、矢印ＩＩＩＣ-ＩＩＩＣで示す部分の矢視図である。
【００３５】
図３（Ａ）を参照して、この実施の形態に係る名刺立て３０は、展開状態では１枚の矩形状の紙３１から構成される。紙３１はその長手方向の中央部に山折り用の折れ線３３を有し、ここを中心として、２つの矩形の領域３１ａと３１ｂとに分離できる。領域３１ａは折れ線３３と、折れ線３３の対向辺である辺３４ａと、折れ線３３と辺３４ａとの両端部を接続する辺３３ａ，３３ｃとを含む。同様に、領域３１ｂは折れ線３３と、折れ線３３の対向辺である辺３４ｂと、折れ線３３と辺３４ｂとの両端部を接続する辺３３ｂ，３３ｄとを含む。折れ線３３は中央部を除く両側端部に設けられている。
【００３６】
この実施の形態においては、領域３１ａの幅方向のほぼ中央部であって、折れ線３３から約１ｃｍ程度下の位置から領域３１ｂに向かって形成された矩形状の舌片３６が形成されている。舌辺３６は、領域３１ａの全幅の約半分の寸法の接続部３６ａ（図中点線で示す）で領域３１ａと接続され、そこから折れ線３３の中央部３３ｂに向かって直線状に延在する。
【００３７】
なお、この舌片３６は接続部３６ａから折れ線３３の中央部３３ｂに向かう直線３６ｄ，３６ｅと、直線３６ｄ，３６ｅの端点を接続する３６ｂの一部を切断することによって形成される。
【００３８】
また、接続部３６ａはそれに連続する線３６ｃ，３６ｆに対して一直線状に設けられる。また、組立てた状態では、接続部３６ａは山折りされる。
【００３９】
また、領域３１ｂのほぼ中央部には、矩形状の舌片３６を受入れるための折れ線３３に平行な直線状の溝３５が設けられている。その幅は１〜２ｍｍ程度が好ましい。
【００４０】
このとき、舌片３６には複数の突起部３７が設けられるのが好ましい。こうすれば、突起部３７は溝３５に係合した後は、その係合が容易には外れない。なお、この突起部は、舌片３６に複数のステープルの針を打ち込むことによって形成してもよい。
【００４１】
領域３１ａにはその辺３４ａの近傍に設けられた半円弧状の溝３２が設けられ、それによって、溝３２の下部に半円形の舌片３１ｃが形成される。溝３２は所定の幅を有し、その幅は２〜３ｍｍ程度が好ましい。
【００４２】
名刺立て３０を折れ線３３で折って、２つの領域３１ａ，３１ｂの端部３４ａ，３４ｂを所定の距離離し、その上に名刺をおいた状態が図３（Ｂ）である。
【００４３】
図３（Ｂ）を参照して、上記のようにしてテーブル等の上に載置可能な名刺立て３０が完成する。名刺３８は名刺立て３０の領域３１ａと舌片３１ｃによって保持される。
【００４４】
以上のように、この実施の形態によれば、１枚の矩形の紙で簡単に名刺立てを構成できる。
【００４５】
（４）第４実施の形態
次に、この発明の第４実施の形態について説明する。図４〜図６はこの発明の第４実施の形態を示す図である。
【００４６】
図４を参照して、名刺立て４０は展開状態では１枚の矩形状の紙４１から構成される。紙４１はその長手方向の中央部に山折り用の折れ線４２を有し、ここを中心として、２つの矩形の領域４１ａと４１ｂとに分離できる。領域４１ａは折れ線４２と、折れ線４２の対向辺である辺４４ａと、折れ線４２と辺４４ａとの両端部を接続する辺４３ａ，４３ｃとを含む。同様に、領域４１ｂは折れ線４２と、折れ線４２の対向辺である辺４４ｂと、折れ線４２と辺４４ｂとの両端部を接続する辺４３ｂ，４３ｄとを含む。
【００４７】
この実施の形態においては、折れ線４２のほぼ中央部に、折れ線４２と交差する方向に一定の間隔を開けて設けられた一対の切れ目４５ａ，４５ｂが２つの矩形の領域４１ａ、４１ｂに渡って設けられている。この切れ目４５ａ，４５ｂは平行であるのが好ましい。なお、折れ線４２はその中央部４２ｂと、その両端部４２ａ、４２ｃとから構成されている。切れ目４５ａ、４５ｂのそれぞれの端部を接続する線４６ａ，４６ｂは折れ線４２にほぼ平行に位置し、それによって、切れ目４５ａ，４５ｂ、折れ線４２ｂ、線４６ａ，４６ｂによって形成される２つの矩形状の領域４６ｃ，４６ｄが形成される。２つの矩形状の領域４６ｃ，４６ｄはその面積が等しいのが好ましい。
【００４８】
領域４６ｃ，４６ｄのそれぞれの端部４６ａ，４６ｂは山折りされ、折れ線４２ｂは谷折れ線となる。
【００４９】
また、図４（Ａ）に示すように、領域４１ａの幅方向中央部の辺４４ａの近傍には半円弧状（または、矩形状）の溝４７が設けられ、それによって、溝４７の周囲に舌片４７ａが形成される。
【００５０】
また、この実施の形態においては、領域４１ｂの折れ線４２ａ，４２ｃの近傍であって、且つ、一対の切れ目４５ａ，４５ｂの両側にも半円弧状（または、矩形状）の溝４８ａ，４８ｂが設けられ、それによって、溝４８ａ，４８ｂの周囲に舌片４９ａ，４９ｂが形成される。
【００５１】
次に、図４（Ａ）に示した紙４１を基に名刺立てを構成する方法について説明する。図４（Ｂ）は図４（Ａ）に示した紙４１を基に構成した名刺立ての側面図である。紙４１を山折り線４２ａ，４２ｃによって折り曲げるとともに、一対の切れ目４５ａ，４５ｂで挟まれる領域の折れ線４２ｂを谷方向に折り曲げる。このようにすると、側面から見て、折れ線４２ａ，４２ｃを頂点とし、辺４４ａ，４４ｂを２つの端点とし、領域４１ａ，４１ｂの２つの面に挟まれた領域４６ｃ，４６ｄで形成されたＶ字状の部分を有する全体として略Ａ字状の名刺立て５０が形成できる。この例では、領域４１ａ，４１ｂの間にＶ字状の部分が形成されるため、これがバネになって、下端の辺４４ａ，４４ｂの間を一定の間隔に保つことができる。
【００５２】
このようにすれば、所定の切れ目を有する１枚の紙を組立てるだけで名刺立てを構成できる。
【００５３】
この名刺立て５０の使用方法については後で説明する。
【００５４】
次に、図４（Ａ）に示した紙４１を基に名刺立てを構成する他の方法について説明する。図４（Ｃ）は図４（Ａ）に示した紙４１を基に構成した他の名刺立ての側面図である。図４（Ｂ）のようにして形成した名刺立て５０において、２つの領域４６ｃ，４６ｄを接続する折れ線４２ｂと線４６ａ，４６ｂとの間を接続手段４３ｅで接続する。この接続手段としては接着剤、ステープル等任意の手段を用いてもよい。これによって、図４（Ｃ）に示すように、下端に位置する辺４４ａと４４ｂとの間隔を狭くでき、名刺立てをコンパクトにできる。なお、この場合、そのままでは辺４４ａ，４４ｂとの間隔が狭くなるので、この間隔を図４（Ｃ）に示すように広げるのが好ましい。
【００５５】
この接続位置は、折れ線４２ｂの近傍が好ましいが、後に説明する使用方法に応じて変更してもよい。
【００５６】
次に、図４で示した名刺立ての使用方法について説明する。図５は図４（Ｂ）で示した名刺立て５０の使用方法を説明する図である。図５（Ａ）は名刺立て５０を図４（Ｂ）で示した状態で使用する場合の斜視図である。図５（Ａ）を参照して、名刺２８は、溝４７で形成された舌片４７ａで保持される。
【００５７】
次に、図４（Ｂ）で示した名刺立て５０の他の使用方法について説明する。図５（Ｂ）は名刺立て５０を倒して、領域４１ａを底面として使用する場合の斜視図である。図５（Ｂ）を参照して、名刺２８は、舌片４９ａ，４９ｂで保持される。この場合、名刺立て５０を倒して使用するため、名刺を図５（Ａ）の場合に比べて低い位置に保持できる。それによって、自分の名刺をあまり目立たないようにして名刺立てに立てることができる。
【００５８】
また、この実施の形態においては、単一の名刺立てでありながら、異なる複数の使用方法が可能になる。
【００５９】
次に、図４（Ｃ）で示した名刺立ての使用方法について説明する。図６（Ａ）は名刺立て６０を図４（Ｃ）で示した状態で使用する場合の斜視図である。図６（Ａ）を参照して、名刺２８は、溝４７で形成された舌片４７ａで保持される。この場合、Ｖ字状の部分が接続されているため、脚部間（辺４４ａと４４ｂとの間隔）が狭くなっている。したがって、名刺立て６０の傾斜は名刺立て５０よりも急になる。
【００６０】
その結果、この実施の形態においては、名刺２８をより目立つように載置できる。
【００６１】
次に、図４（Ｃ）で示した名刺立て６０の他の使用方法について説明する。図６（Ｂ）は名刺立て６０を倒して、領域４１ａを底面として使用する場合の斜視図である。図６（Ｂ）を参照して、名刺２８は、舌片４９ａ，４９ｂで保持される。この場合、名刺立て６０を倒して使用するため、名刺を図５（Ｂ）の場合に比べても低い位置に保持できる。それによって、自分の名刺をより目立たないようにして名刺立てに載置することができる。
【００６２】
この実施の形態においては、先の実施の形態に対して、わずかな処理をするだけで、単一の名刺立てでありながら、極端に異なる複数の使用方法が可能になる。
【００６３】
なお、上記実施の形態においては、実施の形態ごとに山折り用の折れ線で分けられた２つの領域を所定の三角形状となるように保持するための係合部等の形状を個別に説明した
が、これらの係合部等は相互に所望のものを選択してもよい。すなわち、第１実施の形態の係合部を第２実施の形態や第３実施の形態において使用してもよいし、その逆でもよいし、第４実施の形態を他の実施の形態と組合わせてもよい。
【００６４】
上記実施の形態においては、名刺立てを名刺大の紙で構成する場合について説明したが、これに限らず、紙以外のプラスチック等で構成してもよい。プラスチック等であれば、紙よりも強度を有するため、自立性が高くなる。
【００６５】
また、上記実施の形態においては、名刺立てについて説明したが、これに限らず、名刺以外のものを載置したり、名刺よりも大きいＢ５やＡ４等の紙等で同様のものを作成し、それを組立てることによって、メニューやパンフレットの載置台や、工事用の看板の載置台としてもよい。
【００６６】
上記実施の形態においては、名刺等を載置する領域にはその辺の近傍に設けられた半円弧状の溝を設ける場合について説明したが、これに限らず、三角形状や四角形状、や楕円状等であってもよい。また、必要に応じて、係合部を接着剤等で接着してもよい。
【００６７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００６８】
この発明によれば、名刺を変形させることなく、簡単に名刺を立てることが可能な名刺立てを提供できるため、名刺立てとして有利に利用される。
【符号の説明】
【００６９】
１０，２０，３０，４０，５０，６０  名刺立て、１１，２１，３１，４１  紙、１２，２２，３２  溝、１３，２３，３３，４２  折れ線、１４ａ，１４ｂ，３４ａ，３４ｂ，４４ａ，４４ｂ  辺。
【図１】
2014113817.tif 000003
【図２】
2014113817.tif 000004
【図３】
2014113817.tif 000005
【図４】
2014113817.tif 000006
【図５】
2014113817.tif 000007
【図６】
2014113817.tif 000008